(57)【特許請求の範囲】
【請求項１】
少なくとも一台の室外機（３０）に接続された複数の空調機（３１）を管理する空調管理装置（１，２，４）であって、
電力負荷係数の情報を前記空調機毎に保持する第１情報保持手段（１３）と、
前記第１情報保持手段に保持された前記電力負荷係数の情報を修正する修正手段（１５）と、
前記修正手段により前記第１保持手段の保持内容が修正された場合、修正されたことを意味する修正情報を保持する第２情報保持手段（１４）と、
前記空調機（３１）の名称、前記電力負荷係数の情報及び前記修正情報を表示する表示手段と、
を備え、
前記修正手段（１５）により前記電力負荷係数の情報が修正されたとき、前記表示手段は、空調機の名称の表示欄（６２）に前記修正情報を表示し、前記空調機の名称は別の欄（６３）に表示する、
空調管理装置。
【請求項２】
前記電力負荷係数に基づいて前記電力負荷を算出する電力負荷算出手段と、
前記室外機（３０）の消費電力を計測する電力計測手段（３２）で計測された計測電力を前記各室外機（３０）の電力負荷に応じて按分する電力按分手段（１１）とをさらに備える、請求項１に記載の空調管理装置。
【請求項３】
前記電力負荷算出手段は、前記各空調機の吸入温度と設定温度の差分に対して前記電力負荷係数を乗算して前記電力負荷を算出する、請求項２に記載の空調管理装置。
【請求項４】
前記修正情報は、前記空調機の名称と関連がない文字である、請求項１から３のいずれかに記載の空調管理装置。
【発明の詳細な説明】
【０００１】
【発明の属する技術分野】
本発明は、少なくとも一台の室外機に接続された複数の空調機を管理する空調機管理装置に関する。
【０００２】
【従来の技術】
複数の室内用の空調機と１台の室外機とを有する冷媒系統が複数ある空調機器を管理する空調管理システムが従来知られている。このような空調管理システムでは、管理する空調機の機種に依存する固有値としてのパラメータ（係数）を予め機種毎に用意し、空調機のデータの設定処理を行うことがある。
【０００３】
たとえば、各空調機の電力代を求める電力按分処理では、各空調機のデータとしての電力負荷を設定するための複数のパラメータを機種毎にたとえばデータベース化して予め用意し、データベースから検索された機種のパラメータからその機種の電力負荷を設定している。そして、設定された電力負荷で室外機の使用電力を按分して各空調機の電気代を算出している。
【０００４】
機種に応じたパラメータを予め用意してデータを設定する処理では、新機種などで予めパラメータが用意されていないとき、性能が近い既存機種のパラメータを修正して使用している。
【０００５】
【発明が解決しようとする課題】
既存機種のパラメータを修正して使用する場合、適切にパラメータを修正すれば問題は生じない。しかし、パラメータを誤って修正した場合には、使用した新機種の試運転時などに不具合が発生することがある。たとえば、電力按分処理でパラメータを誤ったまま電力負荷を設定してしまうと、算出される電気代が正確さを欠くことになり、客先からのクレームの原因となるような不具合が発生するおそれがある。
【０００６】
そこで、試運転時に不具合が生じた場合、その原因を追及することになるが、その不具合がパラメータの修正ミスに伴うものなのか他の原因によるものなのかを判断しにくい。また、パラメータの修正に誤りがある場合、修正前のパラメータと修正後のパラメータとをひとつひとつ比較しなければ不具合を解消できない。このようなことから、既存機種のパラメータを修正して使用する場合、不具合の原因究明に長時間を要することがある。
【０００７】
本発明の課題は、空調機の管理のためにパラメータを修正してデータの設定処理を行う場合に不具合の原因究明を行いやすい空調管理装置を提供することにある。
【０００８】
【課題を解決するための手段】
請求項１に係る空調管理装置は、少なくとも一台の室外機に接続された複数の空調機を管理する空調管理装置であって、第１情報保持手段と、修正手段と、第２情報保持手段と、表示手段とを備えている。第１情報保持手段は、電力負荷係数の情報を空調機毎に保持する手段である。なお、ここにいう「電力負荷係数」とは、空調機それぞれの電力負荷を算出するための係数である。修正手段は、第１情報保持手段に保持された電力負荷係数の情報を修正する手段である。第２情報保持手段は、修正手段により第１情報保持手段の保持内容が修正された場合、修正されたことを意味する修正情報を保持する手段である。表示手段は、空調機の名称、電力負荷係数の情報及び修正情報を表示する。そして、この表示手段は、修正手段により電力負荷係数の情報が修正されたとき、空調機の名称の表示欄に前記修正情報を表示し、空調機の名称は別の欄に表示する。
【０００９】
この空調管理装置では、電力負荷係数の情報が第１保持手段に保持される。そして、修正手段により第１保持手段に保持された電力負荷係数の情報が修正されると、修正情報が第２情報保持手段に保持される。そして、表示手段が、修正手段により電力負荷係数の情報が修正されたとき、空調機の名称の表示欄に前記修正情報を表示し、空調機の名称は別の欄に表示する。このため、操作者は、電力負荷係数の情報が修正されたことを瞬時に判断できる。また、もとの空調機の名称の情報も別の場所に表示されるので、どの空調機の電力負荷係数をもとに修正したのかを瞬時に判断でき、不具合の原因追及を行いやすくなる。
【００１０】
請求項２に係る空調管理装置は、請求項１に記載の空調管理装置であって、電力負荷係数に基づいて電力負荷を算出する電力負荷算出手段と、室外機の消費電力を計測する電力計測手段で計測された計測電力を各室外機の電力負荷に応じて按分する電力按分手段とをさらに備える。この場合には、誤って電力負荷係数を修正して電力負荷を間違って設定しても、不具合を短時間で解消できる。
【００１１】
請求項３に係る空調管理装置は、請求項２に記載の空調管理装置であって、電力負荷算出手段は、各空調機の吸入温度と設定温度の差分に対して電力負荷係数を乗算して電力負荷を算出する。この場合には、各空調機が別々の顧客に配置されていても、合理的に電力料金を徴収できる。
請求項４に係る空調管理装置は、請求項１から３のいずれかに記載の空調管理装置であって、修正情報は、空調機の名称と関連がない文字である。この場合には、空調機の表示欄に空調機とは関連がない文字が表示されるので、電力負荷係数の情報が修正されたことをさらに瞬時に判断できる。
【００１２】
【発明の実施の形態】
＜システムの構成＞
図１に、本発明の一実施形態に係る空調管理システムを示す。この空調管理システムは、ビル等に設置される空調システム３の監視・制御をするシステムであり、空調システム３の状態監視や発停制御や動作設定等をシステムのユーザからの要求によりあるいは動作スケジュール等により実行するシステムである。空調管理システムは、試運転用の情報端末１と、情報端末１とたとえばＬＡＮにより接続されるとともに空調システム３とたとえば２芯式のケーブルにより接続されるステーション２と、空調システム３の監視用の監視端末４から構成される。
【００１３】
情報端末１は、試運転時にステーション２に接続される端末であり、第１情報保持手段としての係数データベース１３と、修正手段としての係数修正ルーチン１５とを含む空調システム３の電力按分処理を設定する電力按分試運転プログラム１１を有している。電力按分試運転プログラム１１により、情報端末１は、ステーション２に対して空調システム３の試運転制御の要求をしたり、ステーション２が有する監視制御プログラム２１や修正情報保持部（第２情報保持手段の一例）１４を設定したりする。また、情報端末１は、ステーション２から得た空調システム３の監視・制御の結果の表示やステーション２が有する監視制御プログラム２１の設定状態の表示をする。監視端末４は、ステーション２に対して空調システム３の運転制御の要求をしたり、ステーション２が有する監視制御プログラム２１を設定したりする。ここで、情報端末１及び監視端末４は、例えばパーソナルコンピュータ、携帯コンピュータ、パネルコンピュータ等であり、表示手段としてのディスプレイと入力キーとを有するコンピュータである。
【００１４】
ここで、係数データベース１３には、空調機３１の機種名とその機種名に対応する電力按分のための複数種の係数（固有値）が保持されている。具体的には、たとえば、図７の機種情報編集画面の右下欄に示すように、冷房係数ａ１，冷房係数ａ２，暖房係数ｂ１，暖房係数ｂ２，冷房定格消費電力の係数，暖房定格消費電力の係数，ファンの定格消費電力の係数，ヒーターの定格消費電力の係数，停止時の消費電力の係数の９種の係数が機種毎に保持されている。
【００１５】
ステーション２は、空調システム３を監視・制御する監視制御プログラム２１と修正情報保持部１４とを有しており、それぞれの空調システム３の冷媒系統識別情報や動作状態の監視、発停制御、動作設定等を情報端末１からの要求によりあるいは動作スケジュール等にしたがって自動的に実行する。また、その監視・制御の結果を情報端末１に通知する。
【００１６】
修正情報保持部１４には、検索した空調機の機種をもとに係数データベース１３から得られた係数を修正した場合、そのことを意味する修正情報（たとえば「手動入力」）が保持されている。
空調システム３は、１台の室外機３０と、複数の室内用の空調機（設備機器の一例）３１とを有する冷媒系統２０を複数有しており、各室外機３０には、商用電源３３から供給される電力を計測するための積算電力計３２が接続されている。積算電力計３２は、各室外機３０の使用電力を検出する。積算電力計３２は、パルス変換器（図示せず）を介してステーション２に接続されており、積算電力計３２の検出結果、つまり室外機３０の積算電力がステーション２に送られる。
【００１７】
空調機３１は、温度設定のためのリモートコントローラ４０と、吸い込み温度を検出するための温度センサ４１とを有している。空調機３１は、温度設定の情報や吸い込み温度の情報などの制御情報や冷媒系統識別情報や機種識別情報を含む信号をステーション２に向けて常時送信している。この冷媒系統識別情報により、情報端末１は、各空調機３１の冷媒系統２０や機種情報をステーション２を介して認識する。
【００１８】
＜試運転プログラムの動作＞
試運転時に、電力按分試運転プログラムにより情報端末１からこの空調管理システムに接続される空調システム３の空調機３１の電力按分処理の確認作業を行うことできる。図２〜図４はその制御フローチャート、図５〜図８は空調機器の電力按分試運転時に情報端末１に表示される画面である。これらの図を用いて、空調機３１の試運転プログラムの動作について説明する。
【００１９】
試運転プログラムは、グラフィックユーザインターフェイス（ＧＵＩ）で操作可能なプログラムであり、試運転プログラムが動作を開始すると、図５に示すメイン画面が表示される。なお、図５では、メイン画面で初期化処理が選択された状態を示している。
図５のメイン画面は、電力按分試運転プログラムを実行すると表示される画面であり、画面上部に初期化ボタン５１、時刻設定ボタン５２、機器設定ボタン５３、電力グループボタン５４、動作確認ボタン５５、モニタボタン５６、及び終了ボタン５７が表示される。図３では、初期化ボタン５１を選択した状態を示している。初期化ボタン５１は、冷媒系統２０の初期化を行うためのボタンであり、この操作により、各空調機３１がいずれの冷媒系統に属するかの検出処理が行われる。時刻設定ボタン５２は、試運転時の時刻を設定するためのボタンである。機器設定ボタン５３は、電力按分のための各空調機３１の係数を設定する等の機器設定処理を行うためのボタンである。電力グループボタン５４は、各空調機３１がいずれの冷媒系統２０に属するかのグループ編集等を行うためのものである。動作確認ボタン５５は、ステーション２で実行されている電力按分動作の確認を行うためのものである。モニタボタン５６は、空調機３１の現在の運転状態をモニタするためのものである。終了ボタン５７は、電力按分試運転プログラムを終了するためのボタンである。マウスやカーソルキーで画面上でカーソルを移動させてこれらのボタンを選択し、選択した状態で左クリックしたりエンターキーを押圧したりすることにより各ボタンの操作を行える。
【００２０】
そして、図２のステップＳ１０〜ステップＳ１６で、メイン画面の上部に配置されたいずれのボタンが操作されたか否かを判断する。
ステップＳ１０は、機器設定ボタン５３が操作されたか否かを判断する。ステップＳ１２では、電力グループボタン５４が操作されたか否かを判断する。ステップＳ１４では、初期化ボタン５１や時刻設定ボタン５２やモニタボタン５６などの他のボタンの操作等のその他の操作が選択されたか否かを判断する。ステップＳ１６では、終了ボタン５７が操作されたか否かを判断する。その他の操作がなされると、ステップＳ１６からステップＳ３６に移行し、選択されたボタンに基づく操作などの他の処理が実行される。また、終了ボタン５７が操作されると、処理を終了する。
【００２１】
機器設定ボタン５３が操作されると、ステップＳ１０からステップＳ２０に移行する。ステップＳ２０では、図６に示すような機器設定一覧画面が表示される。この機器設定一覧画面では、画面の大部分に空調機３１の設定状態を示す設定状態表示欄７０が配置され、その右側に設定変更ボタン７１とコピーボタン７２とペーストボタン７３とクリアボタン７４と自動設定ボタン７５とが上下に並べて配置されている。
【００２２】
設定状態表示欄７０には、空調機３１の番号（空調機Ｎｏ．：空調機３１を識別するための情報：機器識別情報）と、冷媒系統のグループ名称と、機種名（機種識別情報）と、コメントと、按分の計算方式と、その他設定条件が表示される。これにより機器毎の設定状態を瞬時に把握できる。操作者はカーソルを特定の機器に合わせて設定変更を行うことができる。
【００２３】
設定変更ボタン７１は、選択された空調機３１の設定状態を変更するためのボタンである。設定変更ボタン７１による設定変更処理では、係数データベース１３から手動で機種を選択して機器の係数を設定したり、係数データベース１３には該当機種のデータはないが類似品のデータがある場合、そのデータを利用して機器の係数の設定したり、係数データベース１３に類似のデータもない場合に全ての係数を手動で入力したりすることができる。コピーボタン７２は、設定時に他の空調機３１の設定をコピーするためのボタンである。ペーストボタン７３は、コピーされた設定を他の空調機３１に貼り付けるためのボタンである。クリアボタン７４は、設定をクリアするためのボタンである。自動設定ボタン７５は、係数などを自動的に設定する自動設定処理を行うためのボタンである。自動設定処理は、空調機３１から送られる機種識別情報に基づく機種が係数データベース１３から自動的に検索できた場合にその空調機３１の設定を実施するものである。したがって、機種が係数データベース１３から検索できなかった場合、この自動設定処理で係数を設定することはできない。
【００２４】
ステップＳ２１では、自動設定ボタン７５が操作されたか否かを判断する。ステップＳ２２では、設定変更ボタンが操作されたか否かを判断する。ステップＳ２３では、コピーボタン７２などの他のボタン操作がなされたか否かを判断する。ステップＳ２４では、終了ボタン５７が操作されたか否かを判断する。他のボタンが操作された場合には、ステップＳ２７に移行してそのボタンに応じた他の処理を行う。終了ボタン５７が操作されない場合には、ステップＳ２４からステップＳ２１に戻り、終了ボタン５７が操作されるとステップＳ１２に移行する。
【００２５】
自動設定ボタン７５が操作されると、ステップＳ２１からステップＳ２５に移行し、図３に示す自動設定処理を実行する。この自動設定処理は、前述したように空調機３１から送られる機種識別情報が係数データベース１３から自動的に検索できた場合に各機器（空調機３１）の設定を自動的に行う処理である。図３のステップＳ４０では、設定する機器を特定する。たとえば冷媒系統２０の最初のアドレス（空調機Ｎｏ．）の空調機３１を特定する。ステップＳ４２では、特定した空調機３１の機種識別情報が係数データベース１３にあるか否かを判断する。機種識別情報が係数データベース１３に無い場合にはステップＳ４４に移行し、設定されていない空調機３１が冷媒系統２０に残っているか否かを判断する。まだ、空調機３１が残っている場合には、ステップＳ４０に戻り、次の空調機３１を特定する。
【００２６】
機種識別情報が係数データベース１３にある場合には、ステップＳ４２からステップＳ４６に移行する。ステップＳ４６では、機種識別情報をキーにして係数データベース１３からその係数情報を含む設定情報を検索する。ステップＳ４８では、設定情報が係数データベース１３から見つかったか否かを判断する。見つからなかった場合にはステップＳ４４に移行する。見つかった場合には、ステップＳ５０に移行する。
【００２７】
ステップＳ５０では、検索された機種を機種名として設定し、設定状態表示欄７０の機種名表示部分に表示する。ステップＳ５２では、係数データベース１３に格納され検索された機種の係数データをセットする。ステップＳ５４では、係数を入力不可の状態にする。ステップＳ５６では、設定状態表示欄７０のコメント表示部分に「自動設定済み」の文字を表示し、ステップＳ４４に移行する。これにより、検索された機器のデータが自動設定されたものであること操作者が容易に認識できる。
【００２８】
全ての機器についての特定が終わると、ステップＳ４４からステップＳ５８に移行する。ステップＳ５８では、設定されたデータをたとえばステーション２にセットして自動設定処理を終了し、メインルーチンに戻る。
設定変更ボタン７１が操作されると、図２のステップＳ２４からステップＳ３２に移行する。ステップＳ３２では、図４に示す設定変更処理を実行する。設定変更処理では、まずカーソルにより選択された機器がすでに係数などを設定済みか否かをステップＳ６０で判断する。すでに設定済みの場合には、ステップＳ６２に移行し、係数入力を不可にする。
【００２９】
一方、機器の係数などの設定がまだ済んでいない場合には、ステップＳ６０からステップＳ７４に移行する。ステップＳ７４では、「手動入力」（修正情報）を機種名のデータとしてセットし、設定状態表示欄７０の機種名表示部分に表示する。これにより、この機種の係数が手動により修正されたことを操作者に認識させることができる。ステップＳ７６では、係数データとして適宜のデフォルト値をセットする。ステップＳ７８では、係数入力を可状態にする。そして、ステップＳ６４に移行する。なお、操作者は、設定変更操作の前にコメント表示欄６３に機種名をコピーしておく。これにより、修正された機種名を後でわかるようにすることができる。
【００３０】
ステップＳ６４では、選択された機種の図７及び図８に示す機種情報編集画面を情報端末１のディスプレイに表示する。この機種情報編集画面は選択された機種の設定情報を編集するための画面である。
この機種情報編集画面では、たとえば上部に空調機Ｎｏ．表示欄６０及び電力按分のための計算方式を設定する計算方式表示欄６１とが上下に並べて配置され、その右隣に、機種名表示欄６２及びコメント表示欄６３が上下に並べて配置されている。計算方式表示欄６１の下方には、按分する際の条件設定欄６４が配置され、コメント表示欄６３の下方には、左右に並べて係数変更ボタン６５とデータベース参照ボタン６６とが配置されている。さらに、両ボタン６５，６６の下方には係数設定欄６７が配置されている。係数設定欄６７には、選択された機種の電力按分のための前述した９種の係数が表示されかつその設定欄６７で係数を設定可能になっている。機種編集変更画面の下部には、修正された設定を確定するための設定ボタン６８と、設定を取り消すためのキャンセルボタン６９とが左右に並べて配置されている。
【００３１】
ここで、機種名表示欄６２は手入力不可の欄である。また、係数変更ボタン６５は、係数データベース１３には存在しない機種の係数を既存の機種の係数を利用して修正するためのボタンである。データベース参照ボタン６６は、係数データベース１３に存在する機種の係数を、たとえば機種名をキーワードにして検索して係数設定欄６７に設定するためのボタンである。
【００３２】
ステップＳ６６では、データベース参照ボタン６６が操作されたか否かを判断する。ステップＳ６８では、係数変更ボタン６５が操作されたか否かを判断する。ステップＳ７０では、係数が入力可状態か否かを判断する。ステップＳ７２では、設定ボタン６８又はキャンセルボタン６９が操作されたか否かを判断する。
データベース参照ボタン６６が操作されるとステップＳ６６からステップＳ８０に移行する。ステップＳ８０では、操作者により選択された機種名により係数データベース１３を検索する。ステップＳ８２では、検索された機種名を機種名としてセットし、機種名表示欄６２にそれを表示する。ステップＳ８４では、係数データベース１３から検索された係数をセットし、係数表示欄６７に表示する。ステップＳ８６では、係数を入力不可状態にし、ステップＳ６８に移行する。
【００３３】
係数変更ボタン６５が操作されると、ステップＳ６８からステップＳ８８に移行する。ステップＳ８８では、機種名として「手動入力」（修正情報）をセットし、機種名表示欄６２にそれを表示する。この手動入力のデータは修正情報保持部１４に保持される。ステップＳ９０では、係数を入力可状態にし、ステップＳ７０に移行する。
【００３４】
係数が入力可状態の場合にはステップＳ７０からステップＳ９２に移行する。ステップＳ９２では、操作者による係数の手入力を受け付ける。これにより、手動で係数野市部を変更したり全部を変更したりすることができる。この状態の一例を図８に示す。図４に示す例では、新規の機種に対して似ている図３に示した機種（機種名ＦＸＹＣＪ２８ＸＬ）の係数に対して、暖房係数ｂ１と、冷房定格消費電力の係数と、暖房定格消費電力の係数と、ヒーターの定格消費電力の係数と、停止時の係数とが操作者により修正されている。これにより、既存の機種の係数を利用して変更することが可能になる。
【００３５】
設定ボタン６８が操作されると、ステップＳ７２からステップＳ９４に移行し、設定されたデータをセットする。このデータは、たとえば、情報端末１に設けられた電力按分試運転プログラムにセットされるとともに、ステーション２に設けられた電力按分プログラムにもセットされる。また、キャンセルボタン６９が操作されるとデータをセットすることなく処理を終了する。
【００３６】
この設定変更処理が係数修正ルーチン１５に相当する。係数修正ルーチン１５では、操作者は新規の空調機３１であって係数データベース１３に係数が存在しない場合、この係数変更ボタン６５を用いて新規の機種と似ている機種の係数を修正して新規の空調機３１の係数として設定できる。
このように、係数が修正されると、修正されたことを意味する修正情報が修正情報保持部１４に保持されるので、必要に応じて、その修正情報を表示や印刷により出力したり、修正情報に基づきアラームで報知したりすることにより、操作者に係数が修正されたことを認識させることができる。このため、空調システム３の試運転中に不具合が発生しても、その不具合が係数の修正ミスに伴うものなのか他の原因によるものなのかを容易に判断できる。このため、不具合の原因究明を行いやすくなる。
【００３７】
また、修正情報を情報端末１に表示しているので、係数が修正されているのか否かを容易に認識できる。このため、電力按分処理に不具合が発生しても、その不具合が係数の修正ミスに伴うものなのか他の原因によるものなのかをさらに容易に判断できるとともに、修正箇所も容易に判断できる。このため、不具合の原因究明をさらに行いやすくなる。
【００３８】
さらに、機種名表示欄６２に修正情報を表示することにより、係数が修正されたことを瞬時に判断できる。また、コメント表示欄６３に機種名情報を表示することにより機種名の情報もコメント表示欄６３に表示されるので、どの機種の係数をもとに修正したのかを瞬時に判断でき、不具合の原因追及をさらに行いやすくなる。さらにまた、機種名表示欄６２に機種名とは関連がない文字（たとえば手動入力）が表示されるので、係数が修正されたことをさらに瞬時に判断できる。
【００３９】
電力グループボタン５４が操作されると、ステップＳ１２からステップＳ２８に移行する。ステップＳ２８では、電力グループ一覧画面を表示する。この電力グループ一覧表示画面では、図９に示すように、画面左側に演算開始ボタン８１と演算終了ボタン８２とが上下に並べて配置され、画面右側に新規ボタン８３と削除ボタン８４と、名称変更ボタン８５と、グループ編集ボタン８６とが上下に並べて配置されている。また、画面中央には、電力グループ表示欄８７が配置されている。ここで、演算開始ボタン８１は、電力按分演算を開始するためのものであり、演算終了ボタン８２は、電力按分処理を終了するためのものである。新規ボタン８３は、新規の電力グループを登録するためのものであり、削除ボタン８４は表示された電力グループを削除するものであり、名称変更ボタン８５は、表示された電力グループの名称を変更するためのものである。また、グループ編集ボタンは電力グループ内の各空調機３１のグループの登録や削除を行うためのものである。
【００４０】
図９に示した電力グループ一覧画面が表示されると、ステップＳ２９では、演算開始ボタン８１が操作されたか否かを判断する。ステップＳ３０では、演算終了ボタン８２が操作されたか否かを判断する。ステップＳ３１では、グループ編集ボタン８６や新規ボタン８３や削除ボタン８４等の他のボタンが操作されたか否かを判断する。ステップＳ３２では、終了ボタン５７が操作されたか否かを判断する。その他のボタンが操作された場合にはステップＳ３５に移行してその他のボタンに応じた処理を行う。終了ボタン５７が操作された場合はステップＳ１２に移行し、操作されなかった場合はステップＳ２９に戻る。
【００４１】
演算開始ボタン８１が操作されると、ステップＳ２９からステップＳ３３に移行し、電力按分演算を開始する。この電力按分演算処理では、リモートコントローラ４０でセットされた設定温度と温度センサ４１で測定された吸い込み温度との温度差と、設定されたパラメータとを利用して各冷媒系統２０で各空調機３１の電力負荷を推定し、積算電力計３２で積算された電力を推定された電力負荷に基づき按分処理する。
【００４２】
ここでは、冷媒系統２０毎にグループ化された各空調機３１の電力負荷に応じて室外機３０の積算電力を按分しているので、この空調機３１毎の電力使用量を合理的に算出できる。また、各空調機３１の吸い込み温度と設定温度との差分に応じて電力負荷を推定しているので、電力負荷を実際の使用状態に合わせて合理的に推定できる。
演算終了ボタン８２が操作されると、ステップＳ３０からステップＳ３４に移行し、電力按分演算を終了する。
【００４３】
＜他の実施形態＞
（Ａ）前記実施形態では、設備機器として空調システム３の電力按分処理の試運転時に使用される空調機毎の係数を例に本発明を説明したが、本発明はこれに限定されるものではなく、設備機器の固有値の情報を修正する全ての設備機器管理装置に適用できる。
【００４４】
（Ｂ）前記実施形態では、修正された係数を表示するように構成したが、本発明はこれに限定されず、修正情報を保持するだけでもよい。このように修正情報を保持すると、必要に応じて、修正情報を表示や印刷により出力したり、修正情報に基づいてアラームを鳴らしたり、修正部分だけを他の表示と別に表示することもできる。
【００４５】
（Ｃ）前記実施形態では、修正情報として手動入力という文字情報にしたが、修正情報はこれに限定されるものではなく、たとえば、修正された係数だけを色や形で強調表示するなど他の形態であってもよい。
（Ｄ）前記実施形態では、修正情報保持部１４をステーション２に設けたが、情報端末１や監視端末４に設けてもよい。また、これらのいずれかに分散して設けてもよく重複して設けてもよい。
【００４６】
（Ｅ）前記実施形態では、機種名表示欄６２に表示された機種名を手動でコメント表示欄６３にコピーするように構成したが、たとえば「手動入力」という修正情報が機種名表示欄６２に表示されるとコメント表示欄６３に自動的に機種名を表示するようにしてもよい。
【００４７】
【発明の効果】
請求項１に係る空調管理装置では、修正手段により電力負荷係数の情報が修正されたとき、表示手段が、空調機の名称の表示欄に前記修正情報を表示し、空調機の名称は別の欄に表示する。このため、操作者は、電力負荷係数の情報が修正されたことを瞬時に判断できる。また、もとの空調機の名称の情報も別の場所に表示されるので、どの空調機の電力負荷係数をもとに修正したのかを瞬時に判断でき、不具合の原因追及を行いやすくなる。
【００４８】
請求項２に係る空調管理装置では、誤って係数を修正して電力負荷を間違って設定しても、不具合を短時間で解消できる。
請求項３に係る空調管理装置では、各空調機が別々の顧客に配置されていても、合理的に電力料金を徴収できる。
請求項４に係る空調管理装置では、空調機の表示欄に空調機とは関連がない文字が表示されるので、電力負荷係数の情報が修正されたことをさらに瞬時に判断できる。
【図面の簡単な説明】
【図１】  本発明の一実施形態に係るシステムの構成図。
【図２】  電力按分試運転プログラムのメインルーチンの概略フローチャート。
【図３】  電力按分試運転プログラムの自動設定処理ルーチンの概略フローチャート。
【図４】  電力按分試運転プログラムの設定変更処理ルーチンの概略フローチャート。
【図５】  電力按分試運転プログラムのメイン画面を示す図。
【図６】  機器設定一覧画面を示す図。
【図７】  修正前の機種情報編集画面を示す図。
【図８】  修正後の機種情報編集画面を示す図。
【図９】  電力グループ一覧画面を示す図。
【符号の説明】
１    情報端末
２    ステーション
３    空調システム
１１    電力按分試運転プログラム
１３    係数データベース
１４    修正情報保持部
１５    係数修正ルーチン
【図１】
0003742926.tif 000002
【図２】
0003742926.tif 000003
【図３】
0003742926.tif 000004
【図４】
0003742926.tif 000005
【図５】
0003742926.tif 000006
【図６】
0003742926.tif 000007
【図７】
0003742926.tif 000008
【図８】
0003742926.tif 000009
【図９】
0003742926.tif 000010